(57)【特許請求の範囲】
【請求項１】
乗場に至る経路上またはその近傍に配置された情報取得装置で取得された利用者情報に基づいて割当依頼生成装置で生成された割当依頼情報に係る呼びを複数台のエレベータのいずれかの号機に割り当てるエレベータの群管理制御装置であって、
前記割当依頼生成装置は、前記情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されており、
当該群管理制御装置は、前記割当依頼情報に基づく呼びを前記複数台のエレベータのいずれかの号機に割り当てる制御部を備え、
前記制御部は、
前記割当依頼生成装置から、前記グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を前記割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当て、
前記割当依頼生成装置は、前記情報取得装置で利用者情報が取得されたときに、当該利用者情報に基づいて、利用者が複数の利用者で構成されるグループに属すると判断した場合、前記グループ識別情報と、グループを構成する利用者数を示す情報とを含む割当依頼情報を当該群管理制御装置に出力するように構成されており、
前記制御部は、
前記第１の呼びを受信したときに、グループを構成する利用者数分の呼びを割り当て可能な号機が存在するか否かを判断し、
割り当て可能な号機が存在する場合、当該割り当て可能な号機の中から一の号機を、前記グループを構成する利用者数分の呼びを割り当てるためのグループ割当候補号機として設定し、
前記所定時間が経過するまでの間に受信した前記第２の呼びに対して前記グループ割当候補号機を割当号機として割り当て、
前記情報取得装置は、
特定領域の内部に進入する利用者が所持する識別媒体から利用者情報を取得する第１情報取得部と、
前記特定領域から外部に退出する利用者が所持する識別媒体から利用者情報を取得する第２情報取得部と、を有し、
前記割当依頼生成装置は、
前記第１情報取得部で前記利用者情報を取得したときに、前記情報取得装置から受信した割当依頼情報に基づいて利用者が利用者グループに属するか否かを判断するとともに、
前記第１情報取得部と前記第２情報取得部とのいずれで利用者情報を取得したか否かを判断し、
（ａ）グループに属しかつ前記第１情報取得部で利用者情報が取得されたと判断した場合、当該利用者情報が示す利用者が入室していることを示す情報を登録し、
及び／または（ｂ）グループに属しかつ前記第２情報取得部で利用者情報が取得されたと判断した場合、当該利用者情報が示す利用者が入室していないことを示す情報を登録し、
前記割当依頼生成装置は、
前記グループを構成する前記利用者数として、前記入室していることを示す情報及び／または入室していないことを示す情報に基づいて求めた利用者数を設定する、
エレベータの群管理制御装置。
【請求項２】
前記制御部は、
グループを構成する利用者数分の呼びを割り当て可能な号機が存在しない場合、所定の条件を満たす一の号機を、前記グループを構成する利用者のうち割当可能な利用者数分の呼びを割り当てるためのグループ割当候補号機として設定し、
前記所定時間が経過するまでの間に受信した前記第２の呼びのうち割当可能な利用者数分の呼びに対して前記グループ割当候補号機を割当号機として割り当てる、
請求項１記載のエレベータの群管理制御装置。
【請求項３】
複数台のエレベータと、乗場に至る経路上またはその近傍に配置された情報取得装置で取得された利用者情報に基づいて割当依頼生成装置で生成された割当依頼情報に係る呼びを前記複数台のエレベータのいずれかの号機に割り当てるエレベータの群管理制御装置と、を有するエレベータシステムであって、
前記割当依頼生成装置は、前記情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されており、
当該群管理制御装置は、前記割当依頼情報に基づく呼びを前記複数台のエレベータのいずれかの号機に割り当てる制御部を備え、
前記制御部は、
前記割当依頼生成装置から、前記グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を前記割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当て、
前記割当依頼生成装置は、前記情報取得装置で利用者情報が取得されたときに、当該利用者情報に基づいて、利用者が複数の利用者で構成されるグループに属すると判断した場合、前記グループ識別情報と、グループを構成する利用者数を示す情報とを含む割当依頼情報を当該群管理制御装置に出力するように構成されており、
前記制御部は、
前記第１の呼びを受信したときに、グループを構成する利用者数分の呼びを割り当て可能な号機が存在するか否かを判断し、
割り当て可能な号機が存在する場合、当該割り当て可能な号機の中から一の号機を、前記グループを構成する利用者数分の呼びを割り当てるためのグループ割当候補号機として設定し、
前記所定時間が経過するまでの間に受信した前記第２の呼びに対して前記グループ割当候補号機を割当号機として割り当て、
前記情報取得装置は、
特定領域の内部に進入する利用者が所持する識別媒体から利用者情報を取得する第１情報取得部と、
前記特定領域から外部に退出する利用者が所持する識別媒体から利用者情報を取得する第２情報取得部と、を有し、
前記割当依頼生成装置は、
前記第１情報取得部で前記利用者情報を取得したときに、前記情報取得装置から受信した割当依頼情報に基づいて利用者が利用者グループに属するか否かを判断するとともに、
前記第１情報取得部と前記第２情報取得部とのいずれで利用者情報を取得したか否かを判断し、
（ａ）グループに属しかつ前記第１情報取得部で利用者情報が取得されたと判断した場合、当該利用者情報が示す利用者が入室していることを示す情報を登録し、
及び／または（ｂ）グループに属しかつ前記第２情報取得部で利用者情報が取得されたと判断した場合、当該利用者情報が示す利用者が入室していないことを示す情報を登録し、
前記割当依頼生成装置は、
前記グループを構成する前記利用者数として、前記入室していることを示す情報及び／または入室していないことを示す情報に基づいて求めた利用者数を設定する、
エレベータシステム。
【請求項４】
乗場に至る経路上またはその近傍に配置された情報取得装置と、前記情報取得装置で取得された利用者情報に基づいて割当依頼情報を生成する割当依頼生成装置と、前記割当依頼生成装置で生成された割当依頼情報に係る呼びを複数台のエレベータのいずれかの号機に割り当てるエレベータの群管理制御装置と、を有するエレベータの群管理システムであって、
前記割当依頼生成装置は、前記情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されており、
当該群管理制御装置は、前記割当依頼情報に基づく呼びを前記複数台のエレベータのいずれかの号機に割り当てる制御部を備え、
前記制御部は、
前記割当依頼生成装置から、前記グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を前記割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当て、
前記割当依頼生成装置は、前記情報取得装置で利用者情報が取得されたときに、当該利用者情報に基づいて、利用者が複数の利用者で構成されるグループに属すると判断した場合、前記グループ識別情報と、グループを構成する利用者数を示す情報とを含む割当依頼情報を当該群管理制御装置に出力するように構成されており、
前記制御部は、
前記第１の呼びを受信したときに、グループを構成する利用者数分の呼びを割り当て可能な号機が存在するか否かを判断し、
割り当て可能な号機が存在する場合、当該割り当て可能な号機の中から一の号機を、前記グループを構成する利用者数分の呼びを割り当てるためのグループ割当候補号機として設定し、
前記所定時間が経過するまでの間に受信した前記第２の呼びに対して前記グループ割当候補号機を割当号機として割り当て、
前記情報取得装置は、
特定領域の内部に進入する利用者が所持する識別媒体から利用者情報を取得する第１情報取得部と、
前記特定領域から外部に退出する利用者が所持する識別媒体から利用者情報を取得する第２情報取得部と、を有し、
前記割当依頼生成装置は、
前記第１情報取得部で前記利用者情報を取得したときに、前記情報取得装置から受信した割当依頼情報に基づいて利用者が利用者グループに属するか否かを判断するとともに、
前記第１情報取得部と前記第２情報取得部とのいずれで利用者情報を取得したか否かを判断し、
（ａ）グループに属しかつ前記第１情報取得部で利用者情報が取得されたと判断した場合、当該利用者情報が示す利用者が入室していることを示す情報を登録し、
及び／または（ｂ）グループに属しかつ前記第２情報取得部で利用者情報が取得されたと判断した場合、当該利用者情報が示す利用者が入室していないことを示す情報を登録し、
前記割当依頼生成装置は、
前記グループを構成する前記利用者数として、前記入室していることを示す情報及び／または入室していないことを示す情報に基づいて求めた利用者数を設定する、
エレベータの群管理システム。
【請求項５】
複数台のエレベータと、乗場に至る経路上またはその近傍に配置された情報取得装置と、前記情報取得装置で取得された利用者情報に基づいて割当依頼情報を生成する割当依頼生成装置と、前記割当依頼生成装置で生成された割当依頼情報に係る呼びを前記複数台のエレベータのいずれかの号機に割り当てるエレベータの群管理制御装置とを有するエレベータシステムであって、
前記割当依頼生成装置は、前記情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されており、
当該群管理制御装置は、前記割当依頼情報に基づく呼びを前記複数台のエレベータのいずれかの号機に割り当てる制御部を備え、
前記制御部は、
前記割当依頼生成装置から、前記グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を前記割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当て、
前記割当依頼生成装置は、前記情報取得装置で利用者情報が取得されたときに、当該利用者情報に基づいて、利用者が複数の利用者で構成されるグループに属すると判断した場合、前記グループ識別情報と、グループを構成する利用者数を示す情報とを含む割当依頼情報を当該群管理制御装置に出力するように構成されており、
前記制御部は、
前記第１の呼びを受信したときに、グループを構成する利用者数分の呼びを割り当て可能な号機が存在するか否かを判断し、
割り当て可能な号機が存在する場合、当該割り当て可能な号機の中から一の号機を、前記グループを構成する利用者数分の呼びを割り当てるためのグループ割当候補号機として設定し、
前記所定時間が経過するまでの間に受信した前記第２の呼びに対して前記グループ割当候補号機を割当号機として割り当て、
前記情報取得装置は、
特定領域の内部に進入する利用者が所持する識別媒体から利用者情報を取得する第１情報取得部と、
前記特定領域から外部に退出する利用者が所持する識別媒体から利用者情報を取得する第２情報取得部と、を有し、
前記割当依頼生成装置は、
前記第１情報取得部で前記利用者情報を取得したときに、前記情報取得装置から受信した割当依頼情報に基づいて利用者が利用者グループに属するか否かを判断するとともに、
前記第１情報取得部と前記第２情報取得部とのいずれで利用者情報を取得したか否かを判断し、
（ａ）グループに属しかつ前記第１情報取得部で利用者情報が取得されたと判断した場合、当該利用者情報が示す利用者が入室していることを示す情報を登録し、
及び／または（ｂ）グループに属しかつ前記第２情報取得部で利用者情報が取得されたと判断した場合、当該利用者情報が示す利用者が入室していないことを示す情報を登録し、
前記割当依頼生成装置は、
前記グループを構成する前記利用者数として、前記入室していることを示す情報及び／または入室していないことを示す情報に基づいて求めた利用者数を設定する、
エレベータシステム。
【発明の詳細な説明】
【技術分野】
【０００１】
本発明は、エレベータの群管理制御装置及び群管理システム、並びにエレベータシステムに関する。
【背景技術】
【０００２】
特許文献１は、行先階登録機能を有する乗場行先階登録装置を備えたエレベータの群管理システムを開示している。また、この群管理システムでは、複数人の利用者で構成されるグループのうちの１人の利用者が乗場行先階登録装置で利用者数及び行先階を入力することにより、グループを構成する全ての利用者に対して同一の号機を割り当てることが可能なように構成されている。
【先行技術文献】
【特許文献】
【０００３】
【特許文献１】特許５０８７２８１号公報
【発明の概要】
【発明が解決しようとする課題】
【０００４】
近年、高層ビル等には、外部とつながるロビー階等にセキュリティゲートが備えられ、セキュリティゲートを利用して行先階の登録を行う場合がある。この場合、例えば、エレベータの群管理システムは、セキュリティゲートのカードリーダ等の情報取得部で取得された利用者ＩＤに基づいて当該利用者をいずかの号機に割り当てる。
【０００５】
このようなシステムでは、利用者がセキュリティゲートを通過する毎に個別に号機が割り当てられるため、グループを構成する複数の利用者を同一の号機に割り当てることができなかった。
【０００６】
本発明は、セキュリティゲートのカードリーダ等の情報取得装置を利用して号機の割り当てを行う場合でも、複数の利用者をグループとして同一の号機に割り当てることが可能なエレベータの群管理制御装置及び群管理システム、並びにエレベータシステムを提供する。
【課題を解決するための手段】
【０００７】
本発明の第１の態様に係るエレベータの群管理制御装置は、乗場に至る経路上またはその近傍に配置された情報取得装置で取得された利用者情報に基づいて割当依頼生成装置で生成された割当依頼情報に係る呼びを複数台のエレベータのいずれかの号機に割り当てる。
割当依頼生成装置は、情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されている。
当該群管理制御装置は、割当依頼情報に基づく呼びを複数台のエレベータのいずれかの号機に割り当てる制御部を備える。
制御部は、
割当依頼生成装置から、グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当てる。
【０００８】
本発明の第２の態様に係るエレベータシステムは、
複数台のエレベータと、乗場に至る経路上またはその近傍に配置された情報取得装置で取得された利用者情報に基づく呼びを複数台のエレベータのいずれかの号機に割り当てるエレベータの群管理制御装置と、を有する。
割当依頼生成装置は、情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されている。
当該群管理制御装置は、割当依頼情報に基づく呼びを複数台のエレベータのいずれかの号機に割り当てる制御部を備える。
制御部は、
割当依頼生成装置から、グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当てる。
【０００９】
本発明の第３の態様に係るエレベータの群管理システムは、
乗場に至る経路上またはその近傍に配置された情報取得装置と、情報取得装置で取得された利用者情報に基づいて割当依頼情報を生成する割当依頼生成装置と、割当依頼生成装置で生成された割当依頼情報に係る呼びを複数台のエレベータのいずれかの号機に割り当てるエレベータの群管理制御装置と、を有する。
割当依頼生成装置は、情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されている。
当該群管理制御装置は、割当依頼情報に基づく呼びを複数台のエレベータのいずれかの号機に割り当てる制御部を備える。
制御部は、
割当依頼生成装置から、グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当てる。
【００１０】
また、本発明の第４の態様に係るエレベータシステムは、
複数台のエレベータと、乗場に至る経路上またはその近傍に配置された情報取得装置と、情報取得装置で取得された利用者情報に基づいて割当依頼情報を生成する割当依頼生成装置と、割当依頼生成装置で生成された割当依頼情報に係る呼びを複数台のエレベータのいずれかの号機に割り当てるエレベータの群管理制御装置と、を有する。
割当依頼生成装置は、情報取得装置で利用者情報が取得されたときに、当該利用者情報に基づいて、利用者が複数の利用者で構成されるグループに属すると判断した場合、当該利用者が属するグループを示すグループ識別情報を含む割当依頼情報を当該群管理制御装置に出力するように構成されている。
当該群管理制御装置は、割当依頼情報に基づく呼びを複数台のエレベータのいずれかの号機に割り当てる制御部を備える。
制御部は、
割当依頼生成装置から、グループ識別情報を含む割当依頼情報を受信したときは、当該割当依頼情報を受信する前の所定時間内に今回受信した割当依頼情報に含まれたグループ識別情報と同一のグループ識別情報を含む割当依頼情報を割当依頼生成装置から取得しているか否かを判断し、
取得していないと判断しかつ所定の割当条件を満たす場合、今回受信した割当依頼情報に係る第１の呼びと、受信後前記所定時間が経過するまでの間に受信した割当依頼情報であって、今回受信した割当依頼情報に含まれたグループ識別情報と同一のグループ識別情報が含まれた割当依頼情報に係る第２の呼びとを、同一の号機に割り当てる。
【発明の効果】
【００１１】
本発明によれば、情報取得装置で読み取られた利用者情報に基づいて、複数の利用者をグループとして同一の号機に割り当てることが可能となる。
【図面の簡単な説明】
【００１２】
【図１】実施形態１に係るエレベータシステムが適用されるビルの特定階における配置を示す概略図である。
【図２】実施形態１に係るエレベータの群管理システムの構成を示すブロック図である。
【図３】実施形態１に係る群管理制御装置の電気的構成を示すブロック図である。
【図４】実施形態１における行先階登録装置の電気的構成を示すブロック図である。
【図５】実施形態１に係るエレベータの群管理システムにおける行先階登録装置の表示部の表示例を示す図である。
【図６】実施形態１におけるエレベータ制御装置の電気的構成を示すブロック図である。
【図７】実施形態１に係るセキュリティゲートの外観を示す斜視図である。
【図８】実施形態１に係るセキュリティゲートの電気的構成を示すブロック図である。
【図９】実施形態１におけるゲート表示器の電気的構成を示すブロック図である。
【図１０】実施形態１に係るエレベータの群管理システムにおけるセキュリティゲートに設置されるゲート表示器において、群管理システムが割当てた号機を利用者へ案内する表示例を示す図である。
【図１１】実施形態１に係るセキュリティサーバの電気的構成を示すブロック図である。
【図１２Ａ】実施形態１に係るセキュリティサーバの記憶部に格納されている利用者ＤＢの構成を示す図である。
【図１２Ｂ】実施形態１に係るセキュリティサーバの記憶部に格納されている利用者ＤＢの構成を示す図である。
【図１３】実施形態１に係るセキュリティサーバの動作を示すフローチャートである。
【図１４】実施形態１に係る群管理制御装置の動作を示すフローチャートである。
【図１５】実施形態１に係る群管理制御装置のグループ割当ＤＢの構成を示すフローチャートである。
【図１６Ａ】実施形態１に係る群管理制御装置における割当号機の決定動作を示すフローチャートである。
【図１６Ｂ】実施形態１に係る群管理制御装置におけるグループ割当号機の決定動作を示すフローチャートである。
【図１７】実施形態１に係る群管理制御装置のグループ割当ＤＢの更新動作を示すフローチャートである。
【図１８】実施形態１に係る群管理制御装置のグループに対する割当動作の説明図である。
【図１９】実施形態２に係る群管理制御装置の動作を示すフローチャートである。
【図２０】実施形態２に係る群管理制御装置の割当動作を示すフローチャートである。
【発明を実施するための形態】
【００１３】
本発明の実施形態に係るエレベータの群管理システムについて、図面を参照して説明する。
【００１４】
（実施形態１）
１．構成
１−１．エレベータシステムの概要
本実施形態に係るエレベータシステムの概要について説明する。図１は、実施形態１に係るエレベータシステムが適用されるビル（建物）の特定階における配置を示す概略図である。ここで、特定階とは例えば当該ビルの外部につながるロビー階である。ビルの利用者は特定階を経由して他の階に移動することとなる。
【００１５】
本実施形態に係るエレベータシステムは、複数台のエレベータ（以下適宜「号機」という）６０Ａ〜６０Ｆと、群管理システムとを含む。エレベータの群管理システムは、エレベータ（Ａ号機〜Ｆ号機。以下適宜「号機」という）６０Ａ〜６０Ｆの走行および運行を統合的に制御する。本実施形態では、一例としてＡ号機からＦ号機の６台のエレベータ６０Ａ〜６０Ｆが設けられている。各エレベータ６０Ａ〜６０Ｆの乗車用開口がエレベータホール（エレベータ乗場）側に設けられており、利用者はエレベータホールからエレベータ６０Ａ〜６０Ｆに乗車する。なお、複数台のエレベータ６０Ａ〜６０Ｆは互いに同一の構成を有する。そのため、構成等の説明において区別する必要がない場合、適宜、各エレベータを「エレベータ６０」という。
【００１６】
本実施形態では、ビルのロビー階等の特定階において、複数台のセキュリティゲート２０Ａ〜２０Ｃがエントランス（エントランスホール）とエレベータホール（エレベータ乗場）との間に設置されているものとする。なお、複数台のセキュリティゲート２０Ａ〜２０Ｃは互いに同一の構成を有する。そのため、構成等の説明において区別する必要がない場合、適宜、各セキュリティゲートを「セキュリティゲート２０」という。利用者は、エントランス側からいずれかのセキュリティゲート２０を通過してエレベータホールに進入する。
【００１７】
ここで、ビル（建物）において、セキュリティゲート２０Ａ〜２０Ｃよりもエレベータホール側の領域を、以後適宜「特定領域」という場合がある。特定領域は、ビル（建物）において、エントランス側からセキュリティゲート２０Ａ〜２０Ｃを通過しないと、入れない領域である。そのため、特定領域には、エレベータホールだけでなく、各エレベータ６０のかご内のスペースや、エレベータ６０を利用して移動可能な各階床のスペース等を含んでもよい。
【００１８】
また、特定階に、行先階登録装置３０Ａがエレベータホール（エレベータ乗場）に至る経路の近傍に設置されているものとする。なお、セキュリティゲート２０が設けられていない特定階以外の各階には、行先階登録装置３０Ｂ〜３０Ｚが設けられている（図２参照）。複数台の行先階登録装置３０Ａ〜３０Ｚは互いに同一の構成を有する。そのため、構成等の説明において区別する必要がない場合、適宜、各行先階登録装置を「行先階登録装置３０」という。
【００１９】
本実施形態に係るエレベータの群管理システムでは、利用者がエレベータ６０のかごに乗車する前にセキュリティゲート２０や行先階登録装置３０を利用して行先階を予め登録する行先階登録方式が採用されている。そして、群管理システムは、このようにして予め登録された行先階についての呼び（行先階呼び）を、複数台のエレベータ６０のいずれかの号機に割り当てて、割り当てた号機を示す情報を利用者に報知し、利用者は割り当てられた号機に乗車するように構成されている。具体的な制御については、後述する。なお、特定階の行先階登録装置３０Ａは、エレベータホール内に進入した利用者が、指定されたエレベータ６０に乗り遅れたとき、あるいはＩＤカードに登録されていないフロアに移動するときなどに、任意の行先階を登録可能とするために設けられている。
【００２０】
１−２．エレベータの群管理システムの構成
１−２−１．概要
本実施形態に係るエレベータの群管理システムの構成を説明する。図２は、実施形態１に係るエレベータの群管理システムの構成を示すブロック図である。本実施形態に係るエレベータの群管理システムは、群管理制御装置１０と、複数台の行先階登録装置３０Ａ〜３０Ｚと、複数台のエレベータ制御装置４０Ａ〜４０Ｆと、ゲート表示器７０とを有する。ゲート表示器７０は、セキュリティゲート２０に設けられている。
【００２１】
エレベータの群管理システムは、セキュリティサーバ１００との間で通信を行いながら、各号機に対する新規の行先階呼びの割当制御を行う。各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２２】
各エレベータ（各号機）６０Ａ〜６０Ｆは、かご、巻上機（モータ）、釣合おもり等を有する。
【００２３】
１−２−２．群管理制御装置
群管理制御装置１０は、セキュリティゲート２０においてＩＤカードから読み取られた利用者ＩＤ（利用者情報）に対応する行先階、または行先階登録装置３０において入力された行先階を、複数台のエレベータ６０Ａ〜６０Ｆのうちのいずれかのエレベータ（号機）に割り当てる制御を行う。
【００２４】
図３は、実施形態１における群管理制御装置１０の電気的構成を示すブロック図である。
【００２５】
群管理制御装置１０は、コンピュータを利用して構成され、制御部１１と、記憶部１２と、入出力インタフェース１３とを備える。
【００２６】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。記憶部１２は、データとして、例えばグループ割当ＤＢを格納している。グループ割当ＤＢの構成については後述する。
【００２７】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００２８】
入出力インタフェース１３は、例えばＬＡＮアダプタ等を利用して構成される。入出力インタフェース１３は、群管理制御装置１０と、セキュリティサーバ１００、セキュリティゲート２０のゲート表示器７０、行先階登録装置３０（３０Ａ〜３０Ｚ）、及びエレベータ制御装置４０（４０Ａ〜４０Ｆ）との間で各種信号を送受信するためのインタフェースである。入出力インタフェース１３は、制御部１１から出力される信号を所定の形式の信号に変換してセキュリティサーバ１００、セキュリティゲート２０のゲート表示器７０、行先階登録装置３０、及びエレベータ制御装置４０に出力する。また、入出力インタフェース１３は、セキュリティサーバ１００、セキュリティゲート２０のゲート表示器７０、行先階登録装置３０、及びエレベータ制御装置４０から入力された信号を所定の形式の信号に変換して制御部１１に出力する。
【００２９】
１−２−３．行先階登録装置
図４は、実施形態１における行先階登録装置３０の電気的構成を示すブロック図である。行先階登録装置３０は、利用者が行先階の登録を行うための装置である。行先階登録装置３０は、制御部３１と、記憶部３２と、入出力インタフェース３３と、表示部３４と、操作部３５とを備える。
【００３０】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。記憶部３２には、データとして、例えば、行先階登録装置３０の装置識別情報（以下適宜「デバイスＩＤ」という）が格納されている。
【００３１】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３２】
入出力インタフェース３３は、例えばＬＡＮアダプタ等を利用して構成される。入出力インタフェース３３は、行先階登録装置３０と群管理制御装置１０との間で各種信号を送受信するためのインタフェースである。入出力インタフェース３３は、制御部３１から出力された信号を所定の形式の信号に変換して群管理制御装置１０に出力する。また、入出力インタフェース３３は、群管理制御装置１０から入力された信号を所定の形式の信号に変換して制御部３１に出力する。
【００３３】
操作部３５は、利用者が行先階を入力するためのインタフェースである。操作部３５は、操作部３５の操作内容に対応する信号を制御部３１に出力する。
【００３４】
表示部３４は、制御部３１から出力される表示信号に基づく表示を行う。
【００３５】
表示部３４及び操作部３５は、例えば液晶ディスプレイパネルや有機ＥＬディスプレイパネルを利用したタッチパネル式表示装置により一体的に構成されている。なお、表示部３４と操作部３５とは、異なる部品を利用して別々に構成されてもよい。
【００３６】
図５は、実施形態１に係るエレベータの群管理システムにおける行先階登録装置３０の表示部３４の表示例を示す図である。本例では、階数を指定するためのテンキーが表示されている。図５では、９階が指定され、Ａ号機が割り当てられたことが示されている。なお、行先階登録装置３０は、操作部３５に対して行先階の入力操作が行われると、入力された行先階を表示し、その後、群管理制御装置１０から当該行先階登録装置３０に対応する割当号機情報を受信すると、割当号機情報を、表示中の行先階に対応付けて図５に示すように表示する。
【００３７】
１−２−４．エレベータ制御装置
エレベータ制御装置４０Ａ〜４０Ｆは、群管理制御装置１０からの制御信号にしたがって、対応するエレベータ６０Ａ〜６０Ｆの巻上機（モータ）等の動作を制御することにより、各エレベータ６０Ａ〜６０Ｆのかごの上昇、下降、停止等を制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知して、検知したかご状態を示す情報を含むかご状態信号を群管理制御装置１０に出力する。なお、複数台のエレベータ制御装置４０Ａ〜４０Ｆは互いに同一の構成を有する。そのため、構成等の説明において区別する必要がない場合、適宜、各エレベータ制御装置を「エレベータ制御装置４０」という。
【００３８】
図６は、実施形態１におけるエレベータ制御装置の電気的構成を示すブロック図である。各エレベータ制御装置４０（エレベータ制御装置４０Ａ〜４０Ｆ）は、制御部４１と、記憶部４２と、入出力インタフェース４３と、を備える。
【００３９】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００４０】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における後述する各種の機能を実現する。
【００４１】
入出力インタフェース４３は、例えばＬＡＮアダプタ等を利用して構成される。入出力インタフェース４３は、エレベータ制御装置４０と群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００４２】
１−２−５．セキュリティゲート
セキュリティゲート２０は、特定領域内への利用者の進入を許可または規制するための装置である。セキュリティゲート２０は、ビルのセキュリティ設備として設けられている。セキュリティゲート２０は、正規なＩＤカードを所持する利用者についてのみ特定領域への進入を許可する。
【００４３】
図７は、実施形態１におけるセキュリティゲート２０の第１の例の外観を示す斜視図である。なお、図７は、図１における最も左側のセキュリティゲート２０Ａ（２０）の例を示している。セキュリティゲート２０は、ゲート本体２０ａと、第１センサ２６と、第２センサ２７と、入口側カードリーダ２５と、出口側カードリーダ２９と、ゲート表示器７０と、ゲートフラッパ２８とを備える。
【００４４】
ゲート本体２０ａの外面には、上記の第１センサ２６と、第２センサ２７と、入口側カードリーダ２５と、出口側カードリーダ２９と、ゲート表示器７０とが取り付けられている。ゲート本体２０ａは、後述する制御部２１等を収納する筐体である。ゲート本体２０ａは、それぞれ利用者の進入方向に沿うように配置されている。ゲート本体２０ａは、隣接するセキュリティゲート２０のゲート本体に対して所定距離離間させて並列に設置される（図１参照）。ゲート本体２０ａの側方には、利用者が通過可能な通路ＰＡが形成されている。
【００４５】
入口側カードリーダ２５は、セキュリティゲート本体２０ａの上面の入口２０ｉ側に配置されている。セキュリティゲート本体２０ａの上面の入口側とは、セキュリティゲート本体２０ａの上面において特定領域から遠い側である。入口側カードリーダ２５は、セキュリティゲート２０の通路ＰＡに入口側から進入する利用者が所持するＩＤカードに記録された利用者ＩＤを読み取るためのカードリーダである。入口側カードリーダ２５は、例えば電磁誘導方式の非接触型カードリーダで構成される。なお、入口側カードリーダ２５は、接触型カードリーダで構成されてもよい。入口側カードリーダ２５は、情報読取部の一例である。
【００４６】
入口側カードリーダ２５は、制御部、記憶部、入出力インタフェース、リーダ本体等を備え、制御部が、記憶部に記憶されたプログラムに基づいて種々のデータ等に対して演算処理を行うことにより、カードリーダ２５における各種の機能を実現する。記憶部には、データとして、例えば、当該カードリーダ２５のデバイスＩＤが格納されている。
【００４７】
出口側カードリーダ２９は、セキュリティゲート本体２０ａの上面の出口２０ｅ側に配置されている。セキュリティゲート本体２０ａの上面の出口側とは、セキュリティゲート本体２０ａの上面において特定領域に近い側である。出口側カードリーダ２９は、セキュリティゲート２０の通路に出口側から進入する利用者が所持するＩＤカードに記録された利用者ＩＤを読み取るためのカードリーダである。出口側カードリーダ２９としては、上述した入口側カードリーダ２５と同様の構成のものを利用できる。なお、記憶部には、データとして、例えば、当該カードリーダ２９のデバイスＩＤが格納されている。
【００４８】
ゲート表示器７０は、割当号機情報を表示する。ゲート表示器７０の詳細な構成については後述する。
【００４９】
第１センサ２６は、セキュリティゲート２０の通路ＰＡの入口２０ｉ側における利用者の移動を検知する。第１センサ２６及び第２センサ２７は、利用者の移動を検知すると、検知信号を出力する。
【００５０】
第２センサ２７は、セキュリティゲート２０の通路ＰＡの出口２０ｅ側における利用者の移動を検知する。第１センサ２６及び第２センサ２７は、利用者の移動を検知すると、検知信号を出力する。
【００５１】
ゲートフラッパ２８は、開閉自在の扉である。ゲートフラッパ２８は、開いた状態において、利用者がセキュリティゲート２０を通過することを可能とする。ゲートフラッパ２８は、閉じた状態において、利用者がセキュリティゲート２０を通過することを妨げる。
【００５２】
図８は、実施形態１におけるセキュリティゲート２０の電気的構成を示すブロック図である。セキュリティゲート２０は、上述の構成要素に加えてさらに、制御部２１と、記憶部２２と、入出力インタフェース２３とを備える。
【００５３】
記憶部２２は、例えばＲＡＭ、ＲＯＭ、ＨＤＤ、ＳＳＤ等を利用して構成され、プログラム、及び種々のデータを格納している。プログラムは、本実施形態におけるセキュリティゲート２０の各種機能を実現するためのプログラムを含む。
【００５４】
制御部２１は、例えばＣＰＵ、ＭＰＵ等を利用して構成される。制御部２１は、記憶部２２に格納されたプログラムに基づいて種々のデータ等を利用して演算処理を行うことにより、セキュリティゲート２０における後述する各種の機能を実現する。
【００５５】
制御部２１は、第１センサ２６及び第２センサ２７からの検知信号、及びセキュリティサーバ１００からのゲートＯＰＥＮ信号、ゲートＣＬＯＳＥ信号等に基づいて、ゲートフラッパ２８を開閉する。
【００５６】
入口側カードリーダ２５及び出口側カードリーダ２９は、ＩＤカードに記録された利用者ＩＤを読み取ると、読み取った利用者ＩＤと、入口側カードリーダ２５または出口側カードリーダ２９のデバイスＩＤとを、セキュリティサーバ１００に送信する。
【００５７】
入出力インタフェース２３は、例えばＬＡＮアダプタ等を利用して構成される。入出力インタフェース２３は、セキュリティゲート２０とセキュリティサーバ１００との間で各種信号を送受信するためのインタフェースである。入出力インタフェース２３は、制御部２１、入口側カードリーダ２５、及び出口側カードリーダ２９から出力された信号を所定の形式の信号に変換してセキュリティサーバ１００に出力する。また、入出力インタフェース２３は、セキュリティサーバ１００から入力された信号を所定の形式の信号に変換して制御部２１に出力する。
【００５８】
１−２−６．ゲート表示器
ゲート表示器７０は、セキュリティゲート２０に設置され、群管理制御装置１０が割り当てた号機を利用者へ案内するための表示器である。このゲート表示器７０はセキュリティゲート２０に設置されるが、システムとしてはエレベータの群管理システムの一部である。ゲート表示器７０は、当該ゲート表示器７０が設けられたセキュリティゲート２０を入口２０ｉ側から出口２０ｅ側に通過する利用者（本利用者が提示したＩＤカードに対応する利用者ＩＤ）に割り当てられたエレベータを示す割当号機情報を表示する。
【００５９】
図９は、実施形態１におけるゲート表示器７０の電気的構成を示すブロック図である。ゲート表示器７０は、群管理制御装置１０から受信した情報に基づく表示制御が可能なように、コンピュータを利用して構成されている。ゲート表示器７０は、図９に示すように、制御部７１と、記憶部７２と、入出力インタフェース７３と、表示部７４とを備える。
【００６０】
記憶部７２は、例えばＲＡＭ、ＲＯＭ、ＨＤＤ、ＳＳＤ等を利用して構成され、プログラム、及び種々のデータを格納している。プログラムは、本実施形態のゲート表示器７０の後述する各種機能を実現するためのプログラムを含む。
【００６１】
制御部７１は、例えばＣＰＵ、ＭＰＵ等を利用して構成される。制御部７１は、記憶部７２から読み出した上記プログラムに基づいて種々のデータ等を利用して演算処理を行うことにより、ゲート表示器７０における後述する各種の機能を実現する。
【００６２】
入出力インタフェース７３は、例えばＬＡＮアダプタ等を利用して構成される。入出力インタフェース７３は、ゲート表示器７０と群管理制御装置１０との間で各種信号を送受信するためのインタフェースである。入出力インタフェース７３は、制御部７１から出力された信号を所定の形式の信号に変換して群管理制御装置１０に出力する。また、入出力インタフェース７３は、群管理制御装置１０から入力された信号を所定の形式の信号に変換して制御部７１に出力する。
【００６３】
表示部７４は、例えば液晶ディスプレイパネルや有機ＥＬディスプレイパネルを利用して構成されている。
【００６４】
図１０は、実施形態１に係るエレベータの群管理システムにおけるゲート表示器７０の表示例を示す図である。本例では、ゲート表示器７０は、Ａ号機が割り当てられたことを示している。
【００６５】
１−２−７．セキュリティサーバ
セキュリティサーバ１００は、セキュリティゲート２０のカードリーダ２５で読み取られた利用者ＩＤに基づく認証を行い、認証結果に基づいてゲートＯＰＥＮ信号あるいはゲートＣＬＯＳＥ信号をセキュリティゲート２０の制御部２１に送信する。また、セキュリティサーバ１００は、利用者ＩＤ等に基づいて割当依頼情報（行先階情報、出発階情報、及びデバイスＩＤ等）を生成し、群管理制御装置１０に出力する。また、後述するように、利用者ＩＤに対応する利用者がグループに属する場合、セキュリティサーバ１００は、さらにグループ番号及び非入室者数を、割当依頼情報に含めて、群管理制御装置１０に出力する。
【００６６】
図１１は、実施形態１におけるセキュリティサーバ１００の電気的構成を示すブロック図である。セキュリティサーバ１００は、コンピュータを利用して構成され、制御部１０１と、記憶部１０２と、入出力インタフェース１０３と、を備える。
【００６７】
記憶部１０２は、例えばＲＡＭ、ＲＯＭ、ＨＤＤ、ＳＳＤ等を利用して構成され、プログラム、及び種々のデータを格納している。プログラムは、本実施形態のセキュリティサーバ１００の後述する各種機能を実現するためのプログラムを含む。記憶部１０２は、データとして、利用者データベース（以下「利用者ＤＢ」という）を格納している。利用者ＤＢの構成については後述する。
【００６８】
また、記憶部１０２は、データとして、セキュリティゲート２０の設置階を示す設置階情報を記憶している。設置階情報は、セキュリティゲート２０を通過した利用者の出発階情報として利用される。なお、セキュリティゲート２０が複数の階に設置されている場合、記憶部１０２に、例えば、カードリーダ２５のデバイスＩＤと、設置階情報とを対応付けて記録した設置階情報テーブルを格納しておいてもよい。この場合、セキュリティゲート２０の入口側カードリーダ２５または出口側カードリーダ２９からデバイスＩＤを受信したときに、設置階情報テーブルから、セキュリティゲート２０の入口側カードリーダ２５のデバイスＩＤに対応する設置階情報を取得し、取得した設置階情報を出発階情報として利用すればよい。
【００６９】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、セキュリティサーバ１００における後述する各種の機能を実現する。
【００７０】
入出力インタフェース１０３は、例えばＬＡＮアダプタ等を利用して構成される。入出力インタフェース１０３は、セキュリティサーバ１００と、群管理制御装置１０、及びセキュリティゲート２０（入口側カードリーダ２５、出口側カードリーダ２９、及び制御部２１）との間で各種信号を送受信するためのインタフェースである。入出力インタフェース１０３は、制御部１０１から出力された信号を所定の形式の信号に変換して群管理制御装置１０、及びセキュリティゲート２０（入口側カードリーダ２５、出口側カードリーダ２９、及び制御部２１）に出力する。また、入出力インタフェース１０３は、群管理制御装置１０、及びセキュリティゲート２０（入口側カードリーダ２５、出口側カードリーダ２９、及び制御部２１）から入力された信号を所定の形式の信号に変換して制御部１０１に出力する。
【００７１】
図１２Ａは、実施形態１におけるセキュリティサーバ１００の記憶部１０２に格納されている利用者ＤＢの構成を示す図である。利用者ＤＢは、ＩＤカードの利用者ＩＤと、行先階（行先階情報）と、グループ番号と、入室フラグとを対応付けて記録している。
【００７２】
グループ番号は、利用者ＩＤに係る利用者が属するグループの番号である。利用者ＤＢにおいて、利用者ＩＤに対応付けてグループ番号として“１”以上の整数値が記録されていることは、当該利用者ＩＤに係る利用者が、当該グループ番号のグループに属する利用者として登録されていること（以下適宜「グループ登録」という）を示す。一方、利用者ＩＤに対応付けてグループ番号として“０”が記録されていることは、当該利用者ＩＤに係る利用者が、いずれのグループにもグループ登録されていないことを示す。
【００７３】
入室フラグは、利用者ＩＤに係る利用者が、現在、ビルの特定領域内に存在しているか否かを示すフラグである。利用者ＩＤに対応付けて入室フラグとして”ＯＮ“が記録されていることは、当該利用者ＩＤに係る利用者が、現在、ビルの特定領域内に存在していることを示す。一方、利用者ＩＤに対応付けて入室フラグとして”ＯＦＦ“が記録されていることは、当該利用者ＩＤに係る利用者が、現在、ビルの特定領域内に存在していないことを示す。
【００７４】
図１２Ａに示す例では、利用者ＩＤ“００００１”に対応付けて行先階情報として“１０階”が記録されている。利用者ＩＤ“００００２”に対応付けて行先階情報として“８階”が記録されている。利用者ＩＤ“００００３”に対応付けて行先階情報として“１５階”が記録されている。それ以外の利用者ＩＤについても、対応する行先階が同様に記録されている。また、利用者ＩＤ“００００３”、“００００４”、“００００６”、“００００７”に対応付けて、それぞれ、グループ番号として“１”が記録されている。これは、利用者ＩＤ“００００３”、“００００４”、“００００６”、“００００７”に対応する利用者が、グループ番号“１”のグループに属する利用者として登録されていることを示す。また、利用者ＩＤ“００００２”、“００００５”に対応付けて、それぞれ、グループ番号として“２”が記録されている。これは、利用者ＩＤ“００００２”、“００００５”に対応する利用者が、グループ番号“２”のグループに属する利用者として登録されていることを示す。一方、利用者ＩＤ“００００１”、“００００２”、“００００５”、“００００８”に対応付けて、それぞれ、グループ番号として“０”が記録されている。これは、利用者ＩＤ“００００１”、“００００２”、“００００５”、“００００８”に対応する利用者は、いずれのグループにもグループ登録されていないことを示す。また、全ての利用者ＩＤに対応させて、それぞれ、入室フラグとして”ＯＦＦ“が記録されている。これは、全ての利用者ＩＤに対応する利用者が、現在、ビルの特定領域内に存在していないことを示す。
【００７５】
図１２Ｂは、実施形態１におけるセキュリティサーバ１００の記憶部１０２に格納されている利用者ＤＢの構成を示す図である。図１２Ｂでは、利用者ＩＤ“００００５”、“００００７”に対応付けて、それぞれ、入室フラグとして”ＯＮ“が記録されている。これは、利用者ＩＤ“００００５”、“００００７”に対応する利用者が、ビルの特定領域内に存在していることを示す。つまり、図１２Ａと比較すると、利用者ＩＤ“００００５”、“００００７”に対応する利用者が、ビルの特定領域内に進入したことがわかる。
【００７６】
なお、利用者ＤＢへのグループ登録は、例えば、ビル管理者のコンピュータや、利用者のコンピュータあるいはスマートフォン等から、通信回線等を介してセキュリティサーバ１００にアクセスして行うことが可能なように構成されている。通信回線等を介したデータベースへの登録のための構成は、種々の公知の方法を利用することができる。
【００７７】
２．動作
２−１．概要
図２を参照しながら、セキュリティゲート２０のゲートフラッパ２８の開閉動作、及び群管理システムによる号機割当制御について時系列的に説明する。
【００７８】
２−１−１．セキュリティゲートのゲートフラッパの開閉
まず、セキュリティゲート２０のゲートフラッパ２８の開閉動作について時系列的に説明する。利用者が、ＩＤカードを入口側カードリーダ２５に接触させあるいは近接させながらセキュリティゲート２０（２０Ａ〜２０Ｃ）に進入すると、入口側カードリーダ２５によりＩＤカードから利用者ＩＤが読み取られ、入口側カードリーダ２５からセキュリティサーバ１００にＩＤ情報（利用者ＩＤ、入口側カードリーダ２５のデバイスＩＤ）が送信される。受信したＩＤ情報に含まれる利用者ＩＤが正規なものである場合、セキュリティサーバ１００は、ゲートＯＰＥＮ信号を、当該デバイスＩＤの入口側カードリーダ２５に対応するセキュリティゲート２０の制御部２１に送信する。この場合、制御部２１は、ゲートフラッパ２８を開状態で維持する。これにより、利用者は、セキュリティゲート２０を通過することができる。
【００７９】
一方、ＩＤカードが非正規なものである場合、セキュリティサーバ１００は、ゲートＣＬＯＳＥ信号を、当該デバイスＩＤの入口側カードリーダ２５に対応するセキュリティゲート２０の制御部２１に送信する。この場合、制御部２１は、ゲートフラッパ２８を閉状態とする。そのため、非正規なＩＤカードを提示した利用者は、セキュリティゲート２０を通過することができない。
【００８０】
また、ゲートＯＰＥＮ信号をセキュリティサーバ１００から受信していない状態で、第１センサ２６からの信号を受信した場合、当該セキュリティゲート２０の制御部２１は、ゲートフラッパ２８を閉状態に制御する。ＩＤカードを有していない非正規の利用者がセキュリティサーバ１００を通過しようとしている可能性があり、これを阻止するためである。
【００８１】
このように、正規なＩＤカードを有する利用者はエレベータホール内に進入することができるが、ＩＤカードを有していない利用者や非正規なＩＤカードを有する利用者はエレベータホール内に進入できない。よって、ビル内のセキュリティが確保される。
【００８２】
２−１−２．エレベータの号機割当制御
セキュリティサーバ１００は、セキュリティゲート２０の入口側カードリーダ２５から受信したＩＤ情報（利用者ＩＤ、デバイスＩＤ）に含まれる利用者ＩＤが正規なものである場合、利用者ＩＤに対応するグループ番号を参照して、当該利用者ＩＤに係る利用者がグループに属しているか否かを判断する。そして、入口側カードリーダ２５から受信した利用者ＩＤに係る利用者がグループに属していない場合、セキュリティサーバ１００は、利用者ＤＢから、当該利用者ＩＤに対応する行先階情報を読み込む。そして、前記の行先階情報と、出発階情報と、セキュリティゲート２０のデバイスＩＤとを、割当依頼情報として、群管理制御装置１０に送信する。出発階情報としては、前述のように、入口側カードリーダ２５のデバイスＩＤに対応する設置階情報を利用する。
【００８３】
一方、当該利用者がグループに属している場合、セキュリティサーバ１００は、利用者ＤＢから、当該利用者ＩＤに対応する行先階情報を読み込む。また、セキュリティサーバ１００は、利用者ＤＢを参照して、当該利用者ＩＤに対応するグループ番号と同一のグループ番号を有する全ての利用者ＩＤの入室フラグを参照して、現在入室状態にない利用者の人数（非入室者数）を求める。そして、利用者ＩＤに対応する前記の行先階情報と、出発階情報と、送信元の入口側カードリーダ２５が設置されているセキュリティゲート２０のデバイスＩＤと、グループ番号と、非入室者数とを、割当依頼情報として、群管理制御装置１０に送信する。出発階情報としては、前述のように、入口側カードリーダ２５のデバイスＩＤに対応する設置階情報を利用する。
【００８４】
群管理制御装置１０は、グループについての割当依頼情報（行先階情報、出発階情報、デバイスＩＤ、グループ番号、非入室者数）を受信すると、受信した割当依頼情報に基づいてグループに属する利用者が同一の号機に乗車可能なように割当号機を決定する。そして、群管理制御装置１０は、決定した割当号機を示す割当号機情報を、受信したデバイスＩＤが示すセキュリティゲート２０のゲート表示器７０に送信する。
【００８５】
また、群管理制御装置１０は、通常の割当依頼情報（行先階情報、出発階情報、デバイスＩＤ）を受信すると、受信した割当依頼情報に基づいて割当号機を決定する。そして、群管理制御装置１０は、決定した割当号機を示す割当号機情報を、受信したデバイスＩＤが示すセキュリティゲート２０のゲート表示器７０に送信する。
【００８６】
ゲート表示器７０は、群管理制御装置１０から割当号機情報を受信すると、割当号機情報を表示する。
【００８７】
２−１−３．行先階登録装置でユーザによる行先階の入力操作があったときの号機割当制御
利用者が割当号機に乗り遅れた場合、あるいはＩＤカードに対応させて登録されている行先階以外の階に行く必要がある場合、利用者は、行先階登録装置３０により行先階を指定することができる。この場合の群管理システムによる号機割当制御について時系列的に説明する。
【００８８】
行先階登録装置３０は、操作部３５に対して、ユーザによる行先階の入力操作があった場合、入力された行先階を示す行先階情報と、出発階情報と、当該行先階登録装置３０のデバイスＩＤとを、割当依頼情報として、群管理制御装置１０に送信する。なお、行先階登録装置３０は、自装置の設置階情報を記憶しており、出発階情報に係る出発階として、記憶している自装置の設置階情報に係る設置階を設定する。
【００８９】
群管理制御装置１０は、割当依頼情報（行先階情報、出発階情報、デバイスＩＤ）を受信すると、受信した割当依頼情報に含まれる行先階情報及び出発階情報に基づいて割当号機を決定する。そして、群管理制御装置１０は、決定した割当号機を示す割当号機情報を、受信したデバイスＩＤが示す行先階登録装置３０に送信する。
【００９０】
行先階登録装置３０は、群管理制御装置１０から割当号機情報を受信すると、割当号機情報を表示する。
【００９１】
２−２．具体的動作
２−２−１．セキュリティサーバの具体的動作
群管理システムの具体的動作について説明する。まず、セキュリティゲート２０を利用者が通過したときに行われるセキュリティサーバ１００による処理について説明する。図１３は、実施形態１に係るセキュリティサーバ１００の動作を示すフローチャートである。
【００９２】
入口側カードリーダ２５及び出口側カードリーダ２９（以下、適宜両者をまとめて「カードリーダ２５、２９」という）は、ＩＤカードから利用者ＩＤを読み取った場合、読み取った利用者ＩＤと、当該カードリーダ２５または２９のデバイスＩＤとを、ＩＤ情報として、セキュリティサーバ１００に送信する。
【００９３】
セキュリティサーバ１００（制御部１０１）は、複数台のカードリーダ２５、２９のいずれかから、ＩＤ情報（利用者ＩＤ、デバイスＩＤ）を受信したか否かを判断する（Ｓ１１）。
【００９４】
ＩＤ情報（利用者ＩＤ、デバイスＩＤ）を受信していない場合（Ｓ１１でＮＯ）、セキュリティサーバ１００（制御部１０１）は、本ステップＳ１１の判断を再度実行する。
【００９５】
複数台のカードリーダ２５、２９のいずれかから、ＩＤ情報（利用者ＩＤ、デバイスＩＤ）を受信した場合（Ｓ１１でＹＥＳ）、セキュリティサーバ１００は、当該セキュリティゲートの入口側カードリーダ２５からＩＤ情報を受信したのか否かを判断する（Ｓ１２）。セキュリティサーバ１００は、例えば、各カードリーダのデバイスＩＤと、各カードリーダが入口側カードリーダ２５であるか出口側カードリーダ２９であるかを示すカードリーダ識別情報とをテーブル等により対応付けて記憶しており、ＩＤ情報を受信したときに、受信したデバイスＩＤに対応するカードリーダ識別情報を取得し、取得したデバイスＩＤのカードリーダ識別情報に基づいて、入口側カードリーダ２５であるか出口側カードリーダ２９であるかを判断する。
【００９６】
入口側カードリーダ２５からＩＤ情報を受信した場合（Ｓ１２でＹＥＳ）、セキュリティサーバ１００は、受信したＩＤ情報に含まれる利用者ＩＤが正規なものか否かの認証を行う（Ｓ１３）。例えば、セキュリティサーバ１００の制御部１０１は、記憶部１０２に記憶されている利用者ＤＢを参照して、受信したＩＤ情報に含まれる利用者ＩＤが、利用者ＤＢの利用者ＩＤとして登録されているか等の判断を行う。
【００９７】
利用者ＩＤが正規であると判断した場合（Ｓ１３でＹＥＳ）、つまり認証が成功した場合、セキュリティサーバ１００の制御部１０１は、受信した利用者ＩＤがグループに属する利用者ＩＤであるか否かを判断する（Ｓ１４）。具体的に、セキュリティサーバ１００の制御部１０１は、利用者ＤＢにおいて、受信した利用者ＩＤに対応付けてグループ番号が登録されているか否かにより判断する。
【００９８】
グループに属する利用者ＩＤでない場合（Ｓ１４でＮＯ）、セキュリティサーバ１００の制御部１０１は、記憶部１０２に記憶されている利用者ＤＢを参照して利用者ＩＤに対応する行先階情報を取得する（Ｓ１５）。
【００９９】
セキュリティサーバ１００の制御部１０１は、取得した行先階情報と、出発階情報と、受信したＩＤ情報の送信元の入口側カードリーダ２５が配置されたセキュリティゲート２０のデバイスＩＤとを、割当依頼情報として、群管理制御装置１０に送信する（Ｓ１６）。出発階情報としては、前述のように、入口側カードリーダ２５のデバイスＩＤに対応する設置階情報を利用する。
【０１００】
グループに属するＩＤである場合（Ｓ１４でＹＥＳ）、セキュリティサーバ１００の制御部１０１は、当該利用者ＩＤに対応するグループ番号を利用者ＤＢから取得する（Ｓ１７）。
【０１０１】
セキュリティサーバ１００の制御部１０１は、取得したグループ番号のグループに属する利用者のうち、特定領域内に存在していない利用者の数（以下、「非入室者数」という）を求める（Ｓ１８）。例えば、セキュリティサーバ１００の制御部１０１は、利用者ＤＢを利用して、取得したグループ番号と同一のグループ番号が対応付けられた利用者ＩＤのうち、今回受信した利用者ＩＤ以外で入室フラグが”ＯＦＦ“である利用者ＩＤの数をカウントする。入室フラグの更新処理については後述する。
【０１０２】
セキュリティサーバ１００の制御部１０１は、記憶部１０２に記憶されている利用者ＤＢを参照して利用者ＩＤに対応する行先階情報を取得する（Ｓ１９）。
【０１０３】
セキュリティサーバ１００の制御部１０１は、取得した行先階情報と、出発階情報と、受信したＩＤ情報の送信元の入口側カードリーダ２５が配置されたセキュリティゲート２０のデバイスＩＤと、グループ番号と、非入室者数とを、割当依頼情報として、群管理制御装置１０に送信する（Ｓ２０）。出発階情報としては、前述のように、入口側カードリーダ２５のデバイスＩＤに対応する設置階情報を利用する。
【０１０４】
セキュリティサーバ１００の制御部１０１は、セキュリティゲート２０に、ゲートＯＰＥＮ信号を送信する（Ｓ２１）。ゲートＯＰＥＮ信号を受信すると、セキュリティゲート２０の制御部２１は、ゲートフラッパ２８を開いた状態に制御し、利用者がセキュリティゲート２０を通過することを可能とする。
【０１０５】
セキュリティサーバ１００の制御部１０１は、利用者ＤＢの当該利用者ＩＤに対応する入室フラグを、当該利用者ＩＤに対応する利用者が特定領域内に存在していることを示す”ＯＮ“に設定する（Ｓ２２）。
【０１０６】
一方、上記ステップＳ１３で、利用者ＩＤが正規でないと判断した場合（Ｓ１３でＮＯ）、すなわち認証が成立しなかった場合、セキュリティサーバ１００の制御部１０１は、セキュリティゲート２０に、ゲートＣＬＯＳＥ信号を送信する（Ｓ２３）。ゲートＣＬＯＳＥ信号を受信すると、セキュリティゲート２０の制御部２１は、ゲートフラッパ２８を閉じた状態に制御し、利用者がセキュリティゲート２０を通過することを規制する。
【０１０７】
また、上記ステップＳ１２で、入口側カードリーダ２５からＩＤ情報を受信したのではないと判断した場合（Ｓ１３でＮＯ）、つまり、出口側カードリーダ２９からＩＤ情報を受信した場合、セキュリティサーバ１００の制御部１０１は、セキュリティゲート２０に、ゲートＯＰＥＮ信号を送信する（Ｓ２４）。ゲートＯＰＥＮ信号を受信すると、セキュリティゲート２０の制御部２１は、ゲートフラッパ２８を開いた状態に制御し、利用者がセキュリティゲート２０を通過することを可能とする。
【０１０８】
セキュリティサーバ１００の制御部１０１は、利用者ＤＢの当該利用者ＩＤに対応する入室フラグを、当該利用者ＩＤに対応する利用者が特定領域内に存在していないことを示す”ＯＦＦ“に設定する（Ｓ２５）。
【０１０９】
２−２−２．群管理制御装置の具体的動作
群管理制御装置１０による割当号機の決定処理について説明する。図１４は、実施形態１に係る群管理制御装置１０の動作を示すフローチャートである。
【０１１０】
群管理制御装置１０は、セキュリティサーバ１００から割当依頼情報を受信したか否かを判断する（Ｓ３１）。
【０１１１】
受信していない場合（Ｓ３１でＮＯ）、群管理制御装置１０は、ステップＳ３１の処理を再度実行する。
【０１１２】
受信した場合（Ｓ３１でＹＥＳ）、群管理制御装置１０は、割当依頼情報にグループ番号が含まれているか否かを判断する（Ｓ３２）。
【０１１３】
グループ番号が含まれていない場合（Ｓ３２でＮＯ）、群管理制御装置１０は、通常の割当て方法により、グループでなく利用者個別に割当号機の決定を行う（Ｓ３６）。
【０１１４】
グループ番号が含まれている場合（Ｓ３２でＹＥＳ）、群管理制御装置１０は、グループ割当ＤＢに、当該グループ番号についてのグループ割当情報が登録されているか否かを判断する（Ｓ３３）。ここで、グループ割当情報は、後述するように登録されてから所定時間Ｔが経過したときに消去されるようになっている。そのため、当該グループ番号についてのグループ割当情報が登録されてから所定時間Ｔが経過していない場合に、当該判断がＹＥＳとなる。
【０１１５】
図１５は、実施形態１における群管理制御装置１０の記憶部１２に格納されているグループ割当ＤＢの構成を示す図である。グループ割当ＤＢは、複数人からなる利用者のグループ毎に、グループ割当情報を格納する。グループ割当情報は、グループを構成する最初の利用者が通過したときにグループ割当ＤＢに登録され、所定時間Ｃの間保持され、所定時間Ｃが経過したときに削除される。グループ割当ＤＢは、グループ番号と、グループ割当号機と、ゲート通過時刻とを対応付けて記録する。
【０１１６】
グループ番号は、複数の利用者からなるグループの識別番号である。
【０１１７】
グループ割当号機は、グループ番号が示すグループに属する利用者のうち最初の利用者の通過時に、グループの利用者用に割り当てられた割当号機である。最初の利用者とは、所定時間Ｃ以上当該グループに属する利用者の通過がなかった後、当該グループにおいて最初に通過した利用者である。
【０１１８】
ゲート通過時刻は、グループに属する利用者のうち最初の利用者がセキュリティゲート２０を通過した時刻である。
【０１１９】
図１５に示す例では、グループ番号“１”に対応付けてグループ割当号機として“Ａ”が記録され、ゲート通過時刻として１５ｈ５５ｍ１５ｓが記録されている。また、グループ番号“２”に対応付けてグループ割当号機として“Ｃ”が記録され、ゲート通過時刻として１５ｈ５５ｍ２０ｓが記録されている。
【０１２０】
図１４のフローチャートに戻り、グループ割当ＤＢに当該グループ番号についてのグループ割当情報が登録されている場合（Ｓ３３でＹＥＳ）、群管理制御装置１０は、グループ割当ＤＢにおいて当該グループ番号に対応付けて記録されている、当該グループ用のグループ割当号機を、割当号機として設定する（Ｓ３４）。
【０１２１】
グループ割当ＤＢに当該グループ番号についてのグループ割当情報が登録されていない場合（Ｓ３３でＮＯ）、群管理制御装置１０は、後述する割当方法によりグループに対する割当号機の決定を行う（Ｓ３５）。
【０１２２】
上記ステップＳ３４、Ｓ３５、Ｓ３６のうちのいずれかのステップで割当号機を決定すると、群管理制御装置１０は、決定した割当号機を示す割当号機情報を、受信したデバイスＩＤに対応するセキュリティゲート２０のゲート表示器７０に送信する（Ｓ３７）。
【０１２３】
２−２−２−１．グループでなく個別に割当号機を決定する場合の割当号機決定動作
次に、上記のステップＳ３６におけるグループでなく個別に割当号機を決定する場合の決定動作について具体的に説明する。図１６Ａは、実施形態１に係る群管理制御装置１０におけるグループに対する割当号機の決定動作を示すフローチャートである。
【０１２４】
群管理制御装置１０は、かご番号ｉとして１を設定する（Ｓ４１Ａ）。なお、かごと号機は１対１で対応するのでかご番号ｉは号機の番号でもある。本実施形態では、６台のエレベータ６０Ａ〜６０Ｆが設けられているので、ｉは１〜６である。
【０１２５】
群管理制御装置１０は、今回受信した割当依頼情報が示す出発階から行先階までの１つの呼びをｉ号機に割り当てた場合、積み残し及び／または満員通過が発生するか否かを判断する（Ｓ４２Ａ）。積み残し及び／または満員通過が発生するか否かの判断は、種々の公知の方法を利用可能であるが、例えば以下のように行うことができる。すなわち、新規呼びを各号機に対して順次仮割当して、各号機が各階床を出発するときや到着するときの各号機のかご内の人数を、これまでに受信した呼びのうちサービスが完了していない呼びに対応する人数を積算すること等により求める。そして、この求めた人数が、かごの定員等に基づいて設定された所定の人数を超過するか否かを判断すること等により、積み残し及び／または満員通過が発生するか否かの判断を行うことができる。
【０１２６】
積み残し及び／または満員通過が発生しない場合（Ｓ４２ＡでＮＯ）、群管理制御装置１０は、ｉ号機を割当候補号機として追加する（Ｓ４３Ａ）。
【０１２７】
一方、積み残し及び／または満員通過が発生する場合（Ｓ４２ＡでＹＥＳ）、群管理制御装置１０は、ｉ号機を割当候補号機として追加しない（Ｓ４４Ａ）。
【０１２８】
ｉ号機を割当候補号機として設定し（Ｓ４３Ａ）、あるいは設定しない（Ｓ４４Ａ）ことを決定すると、群管理制御装置１０は、かご番号ｉとして現在のｉに１を加算した値を設定する（Ｓ４５Ａ）。
【０１２９】
群管理制御装置１０は、かご番号ｉがエレベータ６０の台数よりも大きな値か否かを判断する（Ｓ４６Ａ）。つまり、群管理制御装置１０は、全てのエレベータ６０（号機）について、Ｓ４２Ａ〜Ｓ４４Ａまでの処理が完了したか否かを判断する。
【０１３０】
全てのエレベータ６０（号機）についての処理が完了していない場合（Ｓ４６ＡでＮＯの場合）、群管理制御装置１０は、次の号機についてＳ４２Ａ〜Ｓ４４Ａに関する処理を実行する。
【０１３１】
全てのエレベータ６０（号機）について処理が完了した場合（Ｓ４６ＡでＹＥＳの場合）、群管理制御装置１０は、割当候補号機が存在するか否かを判断する（Ｓ４７Ａ）。
【０１３２】
割当候補号機が存在しない場合（Ｓ４７ＡでＮＯ）、群管理制御装置１０は、全号機の中から所定のルールにしたがって最適な号機を選択して、今回受信した割当依頼情報に係る呼びに割り当てる（割当号機を決定する）（Ｓ５２Ａ）。
【０１３３】
割当候補号機が存在する場合（Ｓ４７ＡでＹＥＳ）、群管理制御装置１０は、割当候補号機の中から所定のルールにしたがって最適な号機を選択して、今回受信した割当依頼情報に係る呼びに割り当てる（割当号機を決定する）（Ｓ４８Ａ）。
【０１３４】
ステップＳ５２Ａ、Ｓ４８Ａにおける割当号機の選択は例えば以下のように行われる。例えば、群管理制御装置１０は、まず、各エレベータの運行情報に基づいて、行先階呼びに係る行先階を割り当てるべきエレベータ（割当号機）を選択するための評価値を、エレベータ（号機）毎に算出する。ここで、各エレベータの運行情報は、例えば、各エレベータのかご状態（かごの位置、走行方向、ドアの開閉状態、荷重等を含む）、予測される待ち時間（割当号機が出発階に到着するまでの時間）、予測されるサービス完了時間（割当号機が行先階に到着するまでの時間）、かごの予定される停止回数（サービス完了までの間に予定されるエレベータの停止回数）などを示す情報を含む。上記評価値の算出後、群管理制御装置１０は、エレベータ６０Ａ〜６０Ｆのうちから例えば最も高い評価値を有するエレベータを選択し、行先階を、選択したエレベータに割り当てる。なお、群管理制御装置１０は、この方法以外に、一般的に知られている他の方法を用いて行先階をいずれかのエレベータに割り当ててもよい。
【０１３５】
２−２−２−２．グループに対して割当号機を決定する場合の割当号機決定動作
次に、上記のステップＳ３５におけるグループに対する割当号機の決定動作について具体的に説明する。図１６Ｂは、実施形態１に係る群管理制御装置１０におけるグループに対する割当号機の決定動作を示すフローチャートである。なお、Ｓ４１Ｂ〜Ｓ５２Ｂでは、Ｓ４２Ｂを除き、図１６ＡのＳ４１Ａ〜Ｓ５２Ａと同じ処理が行われるため、図１６Ａとの相違点を中心に説明する。
【０１３６】
群管理制御装置１０は、かご番号ｉとして１を設定すると（Ｓ４１Ｂ）、今回受信した割当依頼情報が示す出発階から行先階までの呼びを、非入室者数分、ｉ号機に割り当てた場合に、積み残し及び／または満員通過が発生するか否かを判断する（Ｓ４２Ｂ）。
【０１３７】
積み残し及び／または満員通過が発生しない場合（Ｓ４２ＢでＮＯ）、群管理制御装置１０は、ｉ号機を割当候補号機として追加し（Ｓ４３Ｂ）、一方、積み残し及び／または満員通過が発生する場合（Ｓ４２ＢでＹＥＳ）、群管理制御装置１０は、ｉ号機を割当候補号機として追加せずに（Ｓ４４Ｂ）、かご番号ｉとして現在のｉに１を加算した値を設定する（Ｓ４５Ｂ）。
【０１３８】
そして、ステップＳ４５Ｂ〜Ｓ４８Ｂ、Ｓ５２Ｂでは、グループ割当でなく個別の割当てを行った場合と同様の処理が行われる。
【０１３９】
群管理制御装置１０は、ステップＳ４８Ｂで割当候補号機から最適な割当号機を決定すると、現在時刻をゲート通過時刻として設定する（Ｓ４９Ｂ）。
【０１４０】
群管理制御装置１０は、ステップＳ４８Ｂで決定した割当号機を、今回セキュリティゲート２０を通過した利用者が属するグループに割り当てるグループ割当号機として設定する（Ｓ５０Ｂ）。
【０１４１】
群管理制御装置１０は、ステップＳ４９Ｂで設定したゲート通過時刻、及びステップＳ５０Ｂで設定したグループ割当号機名を、今回セキュリティゲート２０を通過した利用者が属するグループのグループ番号と対応付けてグループ割当ＤＢに登録する（Ｓ５１Ｂ）。
【０１４２】
ここで、ステップＳ４８Ｂにおいて、最初の利用者の進入時に、グループに対して割当候補号機から最適な割当号機を決定した場合、さらに、群管理制御装置１０は、上記の非入室者数分の呼びが同時に発生したものとして、残りの非入室者数分の呼びに対して割当を確定する。また、以後の他の新規呼び（当該グループ以外の新規呼び）に対するステップＳ４２Ａ及びＳ４２Ｂの判断において、上記の非入室者数分の呼びを割当済であるものとして、積み残しや満員通過に関する判断を行う。これにより、あるグループの最初の利用者が通過してから当該グループの残りの利用者が所定時間Ｃ以内に群管理制御装置１０を通過した場合には、当該グループの残りの非入室者に対して最初の利用者と同じ号機を確実に割り当てることができる。なお、残りの非入室者数分の呼びに対して割当を確定しなくても、グループ割当号機の乗車率が極端に高くなければ、残りの非入室者を同一の号機に割り当てることができる可能性が高い。
【０１４３】
なお、上記のように非入室者数分の呼びに対する割当を確定した場合でも、非入室者数分の利用者が所定時間Ｃ以内に通過しない場合がある。この場合、群管理制御装置１０は、通過しなかった利用者数分の呼びを取り消し、前記ステップＳ４２Ａ及びＳ４２Ｂにおいては、通過しなかった利用者数分を減算して、以後の新規呼びを割当てた場合における積み残しや満員通過の発生に関する判断を行ってもよい。これにより、乗車しない非入室者数の分、他の呼びを当該号機に割り当てることが可能となる。
【０１４４】
２−２−２−３．グループ割当ＤＢの更新動作
群管理制御装置１０によるグループ割当ＤＢの更新動作について説明する。図１７は、実施形態１に係る群管理制御装置のグループ割当ＤＢの更新動作を示すフローチャートである。
【０１４５】
群管理制御装置１０は、グループ割当ＤＢにグループ割当情報（グループ番号、グループ割当号機、ゲート通過時刻）が登録されているか否かを判断する（Ｓ６１）。
【０１４６】
グループ割当情報が登録されていない場合（Ｓ６１でＮＯ）、群管理制御装置１０は、時間Ｔ秒をカウントした後（時間Ｔ秒が経過した後）（Ｓ６６）、再度ステップＳ６１の処理を実行する。時間Ｔは、グループ割当ＤＢの更新周期であり、例えば０．５秒である。なお、時間Ｔは、０．５秒よりも短くてもよい。
【０１４７】
グループ割当情報が登録されている場合（Ｓ６１でＹＥＳ）、群管理制御装置１０は、１つのグループのグループ割当情報に含まれるゲート通過時刻を取得する（Ｓ６２）。
【０１４８】
群管理制御装置１０は、現在時刻が、ゲート通過時刻に所定時間Ｃを加算した時刻よりも大きいか否か、つまりゲート通過時刻に所定時間Ｃを加算した時刻を過ぎているか否かを判断する（Ｓ６３）。所定時間Ｃは、グループを構成する所定人数の利用者が一般的な歩行速度でセキュリティゲートを通過可能な時間よりも若干長い時間であり、例えば１０秒に設定される。所定人数は、例えば５人である。なお、所定時間Ｃは、１０秒よりも長くても短くてもよいが、短か過ぎるとグループを構成する利用者が所定時間Ｃ内に通過できず、グループとしての割当ができない可能性がある。
【０１４９】
現在時刻が、ゲート通過時刻に所定時間Ｃを加算した時刻を過ぎている場合（Ｓ６３でＹＥＳ）、群管理制御装置１０は、今回取得したゲート通過時刻に対応するグループ割当情報（グループ番号、グループ割当号機、ゲート通過時刻）を消去する（Ｓ６４）。
【０１５０】
現在時刻が、ゲート通過時刻に所定時間Ｃを加算した時刻を過ぎていない場合（Ｓ６３でＮＯ）、あるいはステップＳ６４でグループ割当情報を消去した場合、群管理制御装置１０は、グループ割当ＤＢに登録されている全てのグループ割当情報について、ステップＳ６３の判断処理が完了したか否かを判断する（Ｓ６５）。
【０１５１】
全てのグループ割当情報についての判断処理が完了していない場合（Ｓ６５でＮＯ）、群管理制御装置１０は、上記ステップＳ６２〜Ｓ６４の処理を再度実行する。
【０１５２】
全てのグループ割当情報についての上記の処理が完了した場合（Ｓ６５でＹＥＳ）、群管理制御装置１０は、上記ステップＳ６６で時間Ｔ秒が経過するのを待った後、ステップＳ６１以後の処理を再度実行する。
【０１５３】
２−２−２−４．群管理制御装置のグループに対する割当動作の具体例
群管理制御装置１０のグループに対する割当動作の具体例について説明する。図１８は、実施形態１に係る群管理制御装置１０のグループに対する割当動作の説明図である。
【０１５４】
図１８（ａ）は、８人の利用者Ｐ１〜Ｐ８が、セキュリティゲート２０を入口２０ｉ側から出口２０ｅ側にそれぞれのＩＤカードをかざしながら通過した例を示している。そのうち、４人の利用者Ｐ１、Ｐ３、Ｐ６、Ｐ８は、同一グループに属する全ての利用者であり、特定領域内にいないものとする。この場合において、グループの最初の利用者Ｐ１がセキュリティゲート２０を通過すると、セキュリティサーバ１００において、入室フラグに基づいて、非入室者数が４人と算出され、非入室者数とゲート通過時刻を含む割当依頼情報が群管理制御装置１０に送信される。そして、群管理制御装置１０において、ゲート通過時刻が割当ＤＢに記録されるとともに、ゲート通過時刻からの経過時間のカウントが開始する。そして、群管理制御装置１０において、非入室者数分、本例では４人分の利用者Ｐ１、Ｐ３、Ｐ６、Ｐ８を割当て可能な号機が存在すると判断した場合、当該号機がグループ割当号機として設定される。そして、図１８（ａ）のように、同一グループに属する全ての利用者がゲート通過時刻から所定時間Ｃ内に群管理制御装置１０を通過した場合、４人の利用者Ｐ１、Ｐ３、Ｐ６、Ｐ８の全てに対して、当該グループ割当号機が割り当てられる。これにより、４人の利用者Ｐ１、Ｐ３、Ｐ６、Ｐ８は、同一の号機に乗車することが可能となる。
【０１５５】
一方、図１８（ｂ）のように、４人の同一グループの利用者Ｐ１、Ｐ３、Ｐ６、Ｐ８のうち、３人の利用者Ｐ１、Ｐ３、Ｐ６のみがゲート通過時刻から所定時間Ｃ内にセキュリティゲート２０を通過した場合、群管理制御装置１０において、３人の利用者Ｐ１、Ｐ３、Ｐ６に対して同一のグループ割当号機が割り当てられる。これにより、３人の利用者Ｐ１、Ｐ３、Ｐ６は、同一の号機に乗車することが可能となる。なお、利用者Ｐ８については、同一の号機が割り当てられないこととなるが、所定時間Ｃを長くすると、利用者Ｐ８が乗遅れないように出発時間を遅らせる必要が生じ、エレベータ群における輸送効率の低下を招く可能性がある。そのため、所定時間Ｃは上記のように例えば１０秒程度とすることが好ましい。
【０１５６】
また、図１８（ｃ）のように、４人の同一グループの利用者Ｐ１、Ｐ３、Ｐ６、Ｐ８のうち、１人の利用者Ｐ８は既に特定領域内に存在している場合、グループの最初の利用者Ｐ１がセキュリティゲート２０を通過すると、セキュリティサーバ１００において、入室フラグに基づいて、非入室者数が３人と算出され、非入室者数とゲート通過時刻を含む割当依頼情報が群管理制御装置１０に送信される。そして、群管理制御装置１０において、ゲート通過時刻が割当ＤＢに記録されるとともに、ゲート通過時刻からの経過時間のカウントが開始する。そして、非入室者数分、本例では３人分の利用者Ｐ１、Ｐ３、Ｐ６を割当て可能な号機が存在すると判断した場合、当該号機がグループ割当号機として設定される。そして、図１８（ｃ）のように、同一グループに属する全ての利用者がゲート通過時刻から所定時間Ｃ内に群管理制御装置１０を通過した場合、３人の利用者Ｐ１、Ｐ３、Ｐ６の全てに対して、当該グループ割当号機が割り当てられる。これにより、３人の利用者Ｐ１、Ｐ３、Ｐ６は、同一の号機に乗車することが可能となる。このように、図１８（ｃ）の例では、既に特定領域に存在している利用者Ｐ８に対して割当が行われないため、余分な割当が行われず、当該号機に他の利用者を割り当てることが可能となる。よって、グループ割当を行いつつも、輸送効率への影響はほとんど生じない。
【０１５７】
２−３．本実施形態のグループ割当の利用例
利用者は、オフィスビル内のテナントや企業等での勤務者、あるいはマンションの居住者、さらにはオフィルビルやマンションへの来客であってもよい。この場合、来客と案内者を、一つのグループの利用者として一時的に登録するようにしてもよい。例えば、来客用として、グループ登録したＩＤカードを一時的に作成し、セキュリティゲート通過前にこのＩＤカードを案内者が来客に配布するようにしてもよい。このようにすることにより、案内者と来客が同一の号機に乗車することが可能となる。この場合、来客が帰った後、ＩＤカードを回収して、グループ登録を抹消する。
【０１５８】
（実施形態２）
実施形態１では、グループを構成する利用者のうち非入室者数分の呼びを割当て可能なエレベータが存在しない場合、グループとしての割当ては行わない。しかし、非入室者数分の全ての呼びを割り当てられない場合でも、割当て可能な人数分だけグループとして割当ててもよい。以下において、その具体例について説明する。
【０１５９】
図１９は、実施形態２に係る群管理制御装置１０の動作を示すフローチャートである。
【０１６０】
ステップＳ７１〜Ｓ７３、Ｓ７７では、実施形態１の図１４のフローチャートのステップＳ３１〜Ｓ３３、Ｓ３６と同様の処理が行われる。
【０１６１】
ステップＳ７３において、登録されていると判断した場合（Ｓ７３でＹＥＳ）、群管理制御装置１０は、後述する割当方法によりグループに対する割当号機の決定を行う（Ｓ７６）。
【０１６２】
一方、ステップＳ７３において、登録されていないと判断した場合（Ｓ７３でＮＯ）、群管理制御装置１０は、グループ割当ＤＢに当該グループ用に登録されているグループ割当号機に割り当てたとき、積み残し及び／または満員通過が発生するか否かを判断する（Ｓ７４）。後述するが、本実施形態では、１つのグループの非入室者数分の呼びを割り当てられない場合でも、割当て可能人数分だけグループとして割当てを行う。これを達成するため、当該グループに関する利用者ＩＤ毎に、グループ割当号機に割り当て可能か否か、つまり積み残し及び／または満員通過が発生しないか否かを、グループを構成する利用者の通過毎に判断する。
【０１６３】
積み残し及び／または満員通過が発生する場合（Ｓ７４でＹＥＳ）、前記ステップＳ７６で、後述する割当方法によりグループに対するグループ割当号機の決定を行う。
【０１６４】
積み残し及び／または満員通過が発生しない場合（Ｓ７４でＮＯ）、群管理制御装置１０は、グループ割当ＤＢにおいて当該グループ番号に対応付けて記録されている、当該グループ用のグループ割当号機を、割当号機として設定する（Ｓ７５）。
【０１６５】
上記ステップＳ７５、Ｓ７６、Ｓ７７のうちのいずれかのステップで割当号機を決定すると、群管理制御装置１０は、決定した割当号機を示す割当号機情報を、受信したデバイスＩＤに対応するセキュリティゲート２０のゲート表示器７０に送信する（Ｓ７８）。
【０１６６】
次に、上記のステップＳ７６におけるグループに対する割当号機の決定動作について具体的に説明する。図２０は、実施形態２に係る群管理制御装置１０におけるグループに対する割当号機の決定動作を示すフローチャートである。本フローチャートでは、実施形態１の図１５のフローチャートによる処理と類似の処理が行われる。そのため、相違点を中心として説明する。
【０１６７】
群管理制御装置１０は、割当不可能人数ｐとして０を設定する（Ｓ８１）。割当不可能人数ｐとは、グループを構成する非入室者数分の利用者をグループとして割当を行う際に、割当てが不可能な人数である。
【０１６８】
群管理制御装置１０は、かご番号ｉとして１を設定する（Ｓ８２）。なお、かごと号機は１対１で対応するのでかご番号ｉは号機の番号でもある。本実施形態では、６台のエレベータ６０Ａ〜６０Ｆが設けられているので、ｉは１〜６である。
【０１６９】
群管理制御装置１０は、今回受信した割当依頼情報が示す出発階から行先階までの呼びを、非入室者数から割当不可能人数ｐを減算した人数分、ｉ号機に割り当てた場合、積み残し及び／または満員通過が発生するか否かを判断する（Ｓ８３）。
【０１７０】
積み残し及び／または満員通過が発生しない場合（Ｓ８３でＮＯ）、群管理制御装置１０は、ｉ号機を割当候補号機として追加する（Ｓ８４）。一方、積み残し及び／または満員通過が発生する場合（Ｓ８３でＹＥＳ）、群管理制御装置１０は、ｉ号機を割当候補号機として追加しない（Ｓ８５）。
【０１７１】
その後のステップＳ８６〜Ｓ９２では、実施形態１のステップＳ４５〜Ｓ５１と同様の処理が行われる。
【０１７２】
ここで、ステップＳ８８において割当候補号機が存在しないと判断された場合（Ｓ８８でＮＯ）、本実施形態において、群管理制御装置１０は、割当不可能人数ｐに１を加算し（Ｓ９３）、非入室者数から割当不可能人数ｐを減算した人数が１よりも大きいか否かを判断する（Ｓ９４）。
【０１７３】
非入室者数から割当不可能人数ｐを減算した人数が１よりも大きい場合（Ｓ９４でＹＥＳ）、群管理制御装置１０は、ステップＳ８２に戻り、以後の処理を実行する。つまり、群管理制御装置１０は、非入室者数から割当不可能人数ｐを減算した人数に基づいて、各号機について、積み残し及び／または満員通過が発生するか否かの判断を行う（Ｓ８３）。そして、その判断結果に応じて、群管理制御装置１０は、ｉ号機を割当候補号機として追加するか否かを決定する（Ｓ８４またはＳ８５）。割当候補号機が存在する場合（Ｓ８８でＹＥＳ）、グループ割当に関するステップＳ８９〜Ｓ９２の処理を行う。
【０１７４】
非入室者数から割当不可能人数ｐを減算した人数が１よりも大きくない場合（Ｓ９４でＮＯ）、群管理制御装置１０は、全号機の中から所定のルールにしたがって最適な号機を選択して、今回受信した割当依頼情報に係る呼びに割り当てる（割当号機を決定する）（Ｓ９５）。
【０１７５】
上記のような構成の本実施形態によれば、非入室者の全人数分の呼びを割り当てられない場合において、割当て可能人数分だけでもグループとして割当てを行うことができる。
【０１７６】
（実施形態についてのまとめ）
（１）実施形態１、２に係るエレベータの群管理制御装置１０は、乗場に至る経路上またはその近傍に配置されたセキュリティゲート２０（情報取得装置）で取得された利用者ＩＤ（利用者情報）に基づいてセキュリティサーバ１００（割当依頼生成装置）で生成された割当依頼情報に係る呼びを複数台のエレベータ６０のいずれかの号機に割り当てる。
セキュリティサーバ１００（割当依頼生成装置）は、セキュリティゲート２０（情報取得装置）で利用者ＩＤ（利用者情報）が取得されたときに、当該利用者ＩＤ（利用者情報）に基づいて、利用者が複数の利用者で構成されるグループに属すると判断した場合、当該利用者が属するグループを示すグループ番号（グループ識別情報）を含む割当依頼情報を当該群管理制御装置１０に出力するように構成されている。
当該群管理制御装置１０は、割当依頼情報に基づく呼びを複数台のエレベータ６０のいずれかの号機に割り当てる制御部１１を備える。
制御部１１は、
セキュリティサーバ１００（割当依頼生成装置）から、グループ番号（グループ識別情報）を含む割当依頼情報を受信したときは、当該割当依頼情報を受信する前の所定時間Ｃ内に今回受信した割当依頼情報に含まれるグループ番号（グループ識別情報）と同一のグループ番号（グループ識別情報）を含む割当依頼情報をセキュリティサーバ１００（割当依頼生成装置）から取得しているか否かを判断し、
取得していないと判断しかつ所定の割当条件を満たす場合、今回受信した割当依頼情報に係る第１の呼びと、受信後所定時間Ｃが経過するまでの間に受信した割当依頼情報であって、今回受信した割当依頼情報に含まれるグループ番号（グループ識別情報）と同一のグループ番号（グループ識別情報）が含まれた割当依頼情報に係る第２の呼びとを、同一の号機に割り当てる。
【０１７７】
これにより、セキュリティゲート２０（情報取得装置）で取得された利用者ＩＤ（利用者情報）に基づいて、複数の利用者をグループとして同一の号機に割り当てることが可能となる。
【０１７８】
（２）実施形態１、２に係るエレベータの群管理制御装置１０において、
セキュリティサーバ１００（割当依頼生成装置）は、利用者ＩＤ（利用者情報）を取得したときに、当該利用者ＩＤ（利用者情報）に基づいて、利用者が複数の利用者で構成されるグループに属すると判断した場合、グループ番号（グループ識別情報）と、グループを構成する利用者数を示す情報とを含む割当依頼情報を当該群管理制御装置１０に出力するように構成されている。
制御部１１は、
第１の呼びを受信したときに、グループを構成する利用者数分の呼びを割り当て可能な号機が存在するか否かを判断し、
割り当て可能な号機が存在する場合、当該割り当て可能な号機の中から一の号機を、グループを構成する利用者数分の呼びを割り当てるためのグループ割当候補号機として設定し、
所定時間Ｃが経過するまでの間に受信した第２の呼びに対してグループ割当候補号機を割当号機として割り当てる。
【０１７９】
これにより、グループを構成する利用者に同一の号機を割り当てることができる。
【０１８０】
（３）実施形態２に係るエレベータの群管理制御装置１０において、
制御部１１は、
グループを構成する利用者数分の呼びを割り当て可能な号機が存在しない場合、所定の条件を満たす一の号機を、前記グループを構成する利用者のうち割当可能な利用者数分の呼びを割り当てるためのグループ割当候補号機として設定し、
所定時間Ｃが経過するまでの間に受信した第２の呼びのうち割当可能な利用者数分の呼びに対してグループ割当候補号機を割当号機として割り当てる。
【０１８１】
これにより、グループを構成する利用者のうち割当可能な利用者数分について同一の号機を割り当てることができる。
【０１８２】
（４）実施形態１、２に係るエレベータの群管理制御装置１０において、
セキュリティゲート２０（情報取得装置）は、
特定領域の内部に進入する利用者が所持するＩＤカード（識別媒体）から利用者ＩＤ（利用者情報）を取得する入口側カードリーダ２５（第１情報取得部）と、
特定領域から外部に退出する利用者が所持するＩＤカード（識別媒体）から利用者ＩＤ（利用者情報）を取得する出口側カードリーダ２９（第２情報取得部）と、を有する。
セキュリティサーバ１００（割当依頼生成装置）は、
入口側カードリーダ２５（第１情報取得部）で利用者ＩＤ（利用者情報）を取得したときに、セキュリティゲート２０（情報取得装置）から受信した割当依頼情報に基づいて利用者が利用者グループに属するか否かを判断するとともに、
入口側カードリーダ２５（第１情報取得部）と出口側カードリーダ２９（第２情報取得部）とのいずれで利用者ＩＤ（利用者情報）を取得したか否かを判断し、
（ａ）グループに属しかつ入口側カードリーダ２５（第１情報取得部）で利用者ＩＤ（利用者情報）が取得されたと判断した場合、当該利用者ＩＤ（利用者情報）が示す利用者が入室していることを示す情報（入室フラグＯＮ）を登録し、
及び／または（ｂ）グループに属しかつ出口側カードリーダ２９（第２情報取得部）で利用者ＩＤ（利用者情報）が取得されたと判断した場合、当該利用者ＩＤ（利用者情報）が示す利用者が入室していないことを示す情報（入室フラグＯＦＦ）を登録する。
セキュリティサーバ１００（割当依頼生成装置）は、
グループを構成する利用者数として、入室していることを示す情報及び／または入室していないことを示す情報に基づいて求めた利用者数を設定する。
【０１８３】
これにより、入室していることを示す情報及び／または入室していないことを示す情報に基づいて求めた利用者数（非入室者数）が、グループを構成する利用者数として設定される。つまり、現状に応じた利用者数（非入室者数）がグループを構成する利用者数として設定される。そのため、グループ割当てが行われた号機に、乗車することが想定されない利用者をグループ割当てすることがない。したがって、その分、他の利用者をグループ割当てが行われた号機に割り当てることが可能となる。つまり、輸送効率に配慮しつつ、グループ割当てを行うことができる。
【０１８４】
（５）実施形態１、２に係るエレベータシステムは、
複数台のエレベータ６０と、乗場に至る経路上またはその近傍に配置されたセキュリティゲート２０（情報取得装置）で取得された利用者ＩＤ（利用者情報）に基づいてセキュリティサーバ１００（割当依頼生成装置）で生成された割当依頼情報に係る呼びを複数台のエレベータ６０のいずれかの号機に割り当てるエレベータの群管理制御装置１０と、を有する。
セキュリティサーバ１００（割当依頼生成装置）は、セキュリティゲート２０（情報取得装置）で利用者ＩＤ（利用者情報）が取得されたときに、当該利用者ＩＤ（利用者情報）に基づいて、利用者が複数の利用者で構成されるグループに属すると判断した場合、当該利用者が属するグループを示すグループ番号（グループ識別情報）を含む割当依頼情報を当該群管理制御装置１０に出力するように構成されている。
当該群管理制御装置１０は、割当依頼情報に基づく呼びを複数台のエレベータ６０のいずれかの号機に割り当てる制御部１１を備える。
制御部１１は、
セキュリティサーバ１００（割当依頼生成装置）から、グループ番号（グループ識別情報）を含む割当依頼情報を受信したときは、当該割当依頼情報を受信する前の所定時間Ｃ内に今回受信した割当依頼情報に含まれるグループ番号（グループ識別情報）と同一のグループ番号（グループ識別情報）を含む割当依頼情報をセキュリティサーバ１００（割当依頼生成装置）から取得しているか否かを判断し、
取得していないと判断しかつ所定の割当条件を満たす場合、今回受信した割当依頼情報に係る第１の呼びと、受信後所定時間Ｃが経過するまでの間に受信した割当依頼情報であって、今回受信した割当依頼情報に含まれるグループ番号（グループ識別情報）と同一のグループ番号（グループ識別情報）が含まれた割当依頼情報に係る第２の呼びとを、同一の号機に割り当てる。
【０１８５】
これにより、複数台のエレベータ６０と、エレベータの群管理制御装置１０とを有するエレベータシステムにおいて上記の効果が得られる。
【０１８６】
（６）実施形態１、２に係るエレベータの群管理システムは、
乗場に至る経路上またはその近傍に配置されたセキュリティゲート２０（情報取得装置）と、セキュリティゲート２０（情報取得装置）で取得された利用者ＩＤ（利用者情報）に基づいて割当依頼情報を生成するセキュリティサーバ１００（割当依頼生成装置）と、セキュリティサーバ１００（割当依頼生成装置）で生成された割当依頼情報に係る呼びを複数台のエレベータ６０のいずれかの号機に割り当てるエレベータの群管理制御装置１０と、を有する。
セキュリティサーバ１００（割当依頼生成装置）は、セキュリティゲート２０（情報取得装置）で利用者ＩＤ（利用者情報）が取得されたときに、当該利用者ＩＤ（利用者情報）に基づいて、利用者が複数の利用者で構成されるグループに属すると判断した場合、当該利用者が属するグループを示すグループ番号（グループ識別情報）を含む割当依頼情報を当該群管理制御装置１０に出力するように構成されている。
当該群管理制御装置１０は、割当依頼情報に基づく呼びを複数台のエレベータ６０のいずれかの号機に割り当てる制御部１１を備える。
制御部１１は、
セキュリティサーバ１００（割当依頼生成装置）から、グループ番号（グループ識別情報）を含む割当依頼情報を受信したときは、当該割当依頼情報を受信する前の所定時間Ｃ内に今回受信した割当依頼情報に含まれるグループ番号（グループ識別情報）と同一のグループ番号（グループ識別情報）を含む割当依頼情報をセキュリティサーバ１００（割当依頼生成装置）から取得しているか否かを判断し、
取得していないと判断しかつ所定の割当条件を満たす場合、今回受信した割当依頼情報に係る第１の呼びと、受信後所定時間Ｃが経過するまでの間に受信した割当依頼情報であって、今回受信した割当依頼情報に含まれるグループ番号（グループ識別情報）と同一のグループ番号（グループ識別情報）が含まれた割当依頼情報に係る第２の呼びとを、同一の号機に割り当てる。
【０１８７】
これにより、セキュリティゲート２０（情報取得装置）と、セキュリティサーバ１００（割当依頼生成装置）と、エレベータの群管理制御装置１０とを有するエレベータの群管理システムにおいて上記の効果が得られる。
【０１８８】
（７）実施形態１、２に係るエレベータシステムは、
複数台のエレベータ６０と、乗場に至る経路上またはその近傍に配置されたセキュリティゲート２０（情報取得装置）と、セキュリティゲート２０（情報取得装置）で取得された利用者ＩＤ（利用者情報）に基づいて割当依頼情報を生成するセキュリティサーバ１００（割当依頼生成装置）と、セキュリティサーバ１００（割当依頼生成装置）で生成された割当依頼情報に係る呼びを複数台のエレベータ６０のいずれかの号機に割り当てるエレベータの群管理制御装置１０とを有する。
セキュリティサーバ１００（割当依頼生成装置）は、セキュリティゲート２０（情報取得装置）で利用者ＩＤ（利用者情報）が取得されたときに、当該利用者ＩＤ（利用者情報）に基づいて、利用者が複数の利用者で構成されるグループに属すると判断した場合、当該利用者が属するグループを示すグループ番号（グループ識別情報）を含む割当依頼情報を当該群管理制御装置１０に出力するように構成されている。
当該群管理制御装置１０は、割当依頼情報に基づく呼びを複数台のエレベータ６０のいずれかの号機に割り当てる制御部１１を備える。
制御部１１は、
セキュリティサーバ１００（割当依頼生成装置）から、グループ番号（グループ識別情報）を含む割当依頼情報を受信したときは、当該割当依頼情報を受信する前の所定時間Ｃ内に今回受信した割当依頼情報に含まれるグループ番号（グループ識別情報）と同一のグループ番号（グループ識別情報）を含む割当依頼情報をセキュリティサーバ１００（割当依頼生成装置）から取得しているか否かを判断し、
取得していないと判断しかつ所定の割当条件を満たす場合、今回受信した割当依頼情報に係る第１の呼びと、受信後所定時間Ｃが経過するまでの間に受信した割当依頼情報であって、今回受信した割当依頼情報に含まれるグループ番号（グループ識別情報）と同一のグループ番号（グループ識別情報）が含まれた割当依頼情報に係る第２の呼びとを、同一の号機に割り当てる。
【０１８９】
これにより、複数台のエレベータ６０と、セキュリティゲート２０（情報取得装置）と、セキュリティサーバ１００（割当依頼生成装置）と、エレベータの群管理制御装置１０とを有するエレベータシステムにおいて上記の効果が得られる。
【０１９０】
（その他の実施形態）
前記各実施形態では、グループ割当を行う際に、非入室者数を求め、非入室者数分の呼びを号機に割り当てる。しかし、非入室者数分でなく、グループに属する利用者として登録されている全ての利用者数分の呼びを号機に割り当ててもよい。この場合、既にビル内にいる入室者の分まで割り当てることとなるが、非入室者数をカウントする必要がなく、セキュリティサーバ１００の構成を簡素化できる。
【０１９１】
前記各実施形態のフローチャートのＳ４２Ａ、Ｓ４２Ｂ及びＳ８３では、グループを構成する利用者の行先階が同一階である場合を説明した。しかし、グループを構成する利用者の行先階は異なってもよい。この場合、Ｓ４２Ａ、Ｓ４２Ｂ及びＳ８３において、非入室の各利用者の各行先階毎に満員通過及び積み残しの判断を行い、各行先階についての判断の結果、これらの行先階の全てについて満員通過及び積み残しが発生しない号機をグループ割当号機として設定すればよい。
【０１９２】
前記各実施形態では、本発明の第１及び第２情報取得部として、カードリーダ２５、２９を例示した。しかし、第１及び第２情報取得部は、カードリーダに限らず、例えばＮＦＣ（近距離通信）リーダであってもよい。また、利用者ＩＤを記憶する媒体は、ＩＤカード（ＩＣカード）に限らず、例えば、ＮＦＣ通信に対応するスマートフォンなどのモバイル端末であってもよい。
【０１９３】
さらに、第１及び第２情報取得部は、指紋を読み取り可能な指紋読み取り装置や、ＩＣタグと通信可能なＩＣタグリーダであってもよい。
【０１９４】
前記各実施形態では、制御部１１、２１、３１、４１、７１、１０１は、ＣＰＵ、ＭＰＵ等を利用して構成され、記憶部１２、２２、３２、４２、７２、１０２から読み出したプログラムに基づいて種々のデータ等を利用して演算処理を行うことにより、各種の機能を実現している。つまり、各制御部１１、２１、３１、４１、７１、１０１は、ハードウェアとソフトウェアとの協働により実現されている。しかし、各制御部１１、２１、３１、４１、７１、１０１は、例えば、ハードウェア（電子回路）のみ、ＦＰＧＡ、ＡＳＩＣ等を利用して構成してもよい。
【０１９５】
前記各実施形態では、ネットワークＮＷはＥｔｈｅｒｎｅｔ（登録商標）であり、入出力インタフェース１３、２３、２４、３３、４３、７３、１０３はＬＡＮアダプタ等を利用して構成されている。しかし、ネットワークＮＷは、例えばＩＥＥＥ規格に準拠した無線ＬＡＮであり、入出力インタフェース１３、２３、２４、３３、４３、７３、１０３は無線ＬＡＮアダプタ等を利用して構成されてもよい。
【０１９６】
前記各実施形態では、図８を参照して説明したように、カードリーダ２５、２９は入出力インタフェース２３に接続されている。しかし、カードリーダ２５、２９は制御部２１に接続されてもよい。この場合、カードリーダ２５、２９で読み取られた利用者ＩＤは、制御部２１及び入出力インタフェース２３を介して、セキュリティサーバ１００に送信すればよい。また、カードリーダ２５、２９のデバイスＩＤについても、カードリーダ２５、２９からでなく制御部２１及び入出力インタフェース２３を介して、セキュリティサーバ１００に送信すればよい。
【符号の説明】
【０１９７】
１０  群管理制御装置
１１  制御部
１２  記憶部
１３  入出力インタフェース
２０、２０Ａ、２０Ｂ、２０Ｃ  セキュリティゲート
２０ａ  ゲート本体
２０ｉ  入口
２０ｅ  出口
２１  制御部
２２  記憶部
２３  入出力インタフェース
２５  入口側カードリーダ
２６  第１センサ
２７  第２センサ
２８  ゲートフラッパ
２９  出口側カードリーダ
３０、３０Ａ〜３０Ｚ  行先階登録装置
３１  制御部
３２  記憶部
３３  入出力インタフェース
３４  表示部
３５  操作部
４０、４０Ａ〜４０Ｆ  エレベータ制御装置
４１  制御部
４２  記憶部
４３  入出力インタフェース
６０、６０Ａ〜６０Ｆ  エレベータ
７０  ゲート表示器
７１  制御部
７２  記憶部
７３  入出力インタフェース
７４  表示部
１００  セキュリティサーバ
１０１  制御部
１０２  記憶部
１０３  入出力インタフェース
【図１】
0006540503.tif 000002
【図２】
0006540503.tif 000003
【図３】
0006540503.tif 000004
【図４】
0006540503.tif 000005
【図５】
0006540503.tif 000006
【図６】
0006540503.tif 000007
【図７】
0006540503.tif 000008
【図８】
0006540503.tif 000009
【図９】
0006540503.tif 000010
【図１０】
0006540503.tif 000011
【図１１】
0006540503.tif 000012
【図１２Ａ】
0006540503.tif 000013
【図１２Ｂ】
0006540503.tif 000014
【図１３】
0006540503.tif 000015
【図１４】
0006540503.tif 000016
【図１５】
0006540503.tif 000017
【図１６Ａ】
0006540503.tif 000018
【図１６Ｂ】
0006540503.tif 000019
【図１７】
0006540503.tif 000020
【図１８】
0006540503.tif 000021
【図１９】
0006540503.tif 000022
【図２０】
0006540503.tif 000023